(57)【特許請求の範囲】
【請求項１】
無線通信システムにおける端末によるデータ送信方法において、
前記端末によるコードブロックグループ（ｃｏｄｅ  ｂｌｏｃｋ  ｇｒｏｕｐ：ＣＢＧ）単位送信を可能とする上位階層信号を受信し、
（ｉ）第１トランスポートブロック（ｔｒａｎｓｐｏｒｔ  ｂｌｏｃｋ：ＴＢ）の送信がＨＡＲＱ（ｈｙｂｒｉｄ  ａｕｔｏｍａｔｉｃ  ｒｅｐｅａｔ  ｒｅｑｕｅｓｔ）プロセスでの最初の送信であることを知らせる第１新しいデータ指示子（ｎｅｗ  ｄａｔａ  ｉｎｄｉｃａｔｏｒ：ＮＤＩ）と、（ｉｉ）前記第１ＴＢで全てのＣＢＧの送信のための第１スケジューリング情報とを含む第１のダウンリンク制御情報（ｄｏｗｎｌｉｎｋ  ｃｏｎｔｒｏｌ  ｉｎｆｏｒｍａｔｉｏｎ：ＤＣＩ）を受信し、
前記第１ＴＢの中の前記全てのＣＢＧを送信し、
第２ＴＢの中の少なくとも一つのＣＢＧの送信のための、（ｉ）第２ＮＤＩと（ｉｉ）第２スケジューリング情報を含む第２のＤＣＩを受信し、
（ｉ）前記第１のＤＣＩの中の第１ＨＡＲＱプロセス識別子（ＩＤ）フィールドが前記第２のＤＣＩで第２ＨＡＲＱプロセスＩＤフィールドと同じ値を有することと、（ｉｉ）前記第２のＤＣＩでの前記第２ＮＤＩが前記第１のＤＣＩ中の前記第１ＮＤＩと同一の値を有することに基づいて、前記第２スケジューリング情報により特定される前記第２ＴＢでの前記少なくとも一つのＣＢＧのみを送信する、方法。
【請求項２】
前記ＣＢＧ単位送信を可能にする前記上位階層信号は、無線リソース制御（ＲＲＣ）階層信号である、請求項１に記載の方法。
【請求項３】
前記ＴＢ内のＣＢＧの数を示す第２上位階層信号を受信することをさらに含む、請求項１に記載の方法。
【請求項４】
前記第１のＤＣＩ及び前記第２のＤＣＩのそれぞれは、トランスポートブロック（ＴＢ）単位スケジューリングとコードブロックグループ（ＣＢＧ）単位スケジューリングのいずれがスケジューリングに利用されるかを指示する１ビットを含む、請求項１に記載の方法。
【請求項５】
（ｉ）前記第１のＤＣＩの中の第１のＨＡＲＱプロセスＩＤフィールドが前記第２のＤＣＩの中の第２のＨＡＲＱプロセスＩＤフィールドと同じ値を持つこと、及び（ｉｉ）前記第２のＤＣＩの中の第２のＮＤＩ（ｎｅｗ  ｄａｔａ  ｉｎｄｉｃａｔｏｒ）フィールドが前記第１のＤＣＩの中の第１のＮＤＩフィールドと異なる値を持つことに基づいて、
前記第２のＤＣＩの中の残りのフィールドはトランスポートブロック（ＴＢ）単位スケジューリングに対する情報と解釈される、請求項１に記載の方法。
【請求項６】
コードブロックグループ（ＣＢＧ）単位データ再送信を設定する上位階層信号に基づいて、前記第１のＤＣＩ及び前記第２のＤＣＩのそれぞれは、ＣＢＧを指示するＣＢＧ指示フィールドを含む、請求項１に記載の方法。
【請求項７】
トランシーバ（ｔｒａｎｓｃｅｉｖｅｒ）と、
少なくとも一つのプロセッサと、
前記少なくとも一つのプロセッサに動作的に連結でき、実行された時、前記少なくとも一つのプロセッサが以下の動作を実行する指示を格納した少なくとも一つのコンピュータメモリを含む端末であって、
前記端末が、コードブロックグループ（ｃｏｄｅ  ｂｌｏｃｋ  ｇｒｏｕｐ：ＣＢＧ）単位送信を可能とする上位階層信号を受信し、
（ｉ）第１トランスポートブロック（ｔｒａｎｓｐｏｒｔ  ｂｌｏｃｋ：ＴＢ）の送信がＨＡＲＱ（ｈｙｂｒｉｄ  ａｕｔｏｍａｔｉｃ  ｒｅｐｅａｔ  ｒｅｑｕｅｓｔ）プロセスでの最初の送信であることを知らせる第１新しいデータ指示子（ｎｅｗ  ｄａｔａ  ｉｎｄｉｃａｔｏｒ：ＮＤＩ）と、（ｉｉ）前記第１ＴＢで全てのＣＢＧの送信のための第１スケジューリング情報とを含む第１のダウンリンク制御情報（ｄｏｗｎｌｉｎｋ  ｃｏｎｔｒｏｌ  ｉｎｆｏｒｍａｔｉｏｎ：ＤＣＩ）を受信し、
前記第１ＴＢの中の前記全てのＣＢＧを送信し、
第２ＴＢの中の少なくとも一つのＣＢＧの送信のための、（ｉ）第２ＮＤＩと（ｉｉ）第２スケジューリング情報を含む第２のＤＣＩを受信し、
（ｉ）前記第１のＤＣＩの中の第１ＨＡＲＱプロセス識別子（ＩＤ）フィールドが前記第２のＤＣＩで第２ＨＡＲＱプロセスＩＤフィールドと同じ値を有することと、（ｉｉ）前記第２のＤＣＩでの前記第２ＮＤＩが前記第１のＤＣＩ中の前記第１ＮＤＩと同一の値を有することに基づいて、前記第２スケジューリング情報により特定される前記第２ＴＢでの前記少なくとも一つのＣＢＧのみを送信する、端末。
【請求項８】
前記ＣＢＧ単位送信を可能にする前記上位階層信号は、無線リソース制御（ＲＲＣ）階層信号である、請求項７に記載の端末。
【請求項９】
前記動作は、前記ＴＢ内のＣＢＧの数を示す第２上位階層信号を受信することをさらに含む、請求項７に記載の端末。
【請求項１０】
前記第１のＤＣＩ及び前記第２のＤＣＩのそれぞれは、トランスポートブロック（ＴＢ）単位スケジューリングとコードブロックグループ（ＣＢＧ）単位スケジューリングのいずれがスケジューリングに利用されるかを指示する１ビットを含む、請求項７に記載の端末。
【請求項１１】
（ｉ）前記第１のＤＣＩの中の第１のＨＡＲＱプロセスＩＤフィールドが前記第２のＤＣＩの中の第２のＨＡＲＱプロセスＩＤフィールドと同じ値を持つこと、及び（ｉｉ）前記第２のＤＣＩの中の第２のＮＤＩフィールドが前記第１のＤＣＩの中の第１のＮＤＩフィールドと異なる値を持つことに基づいて、
前記第２のＤＣＩの中の残りのフィールドはトランスポートブロック（ＴＢ）単位スケジューリングに対する情報と解釈される、請求項７に記載の端末。
【請求項１２】
コードブロックグループ（ＣＢＧ）単位データ再送信を設定する上位階層信号に基づいて、前記第１のＤＣＩ及び前記第２のＤＣＩのそれぞれは、ＣＢＧを指示するＣＢＧ指示フィールドを含む、請求項７に記載の端末。
【発明の詳細な説明】
【技術分野】
【０００１】
本発明は、無線通信に関し、より詳しくは、無線通信システムにける端末のデータ受信方法及びこのような方法を利用する装置に関する。
【背景技術】
【０００２】
より多くの通信機器がより大きい通信容量を要求するにつれて、既存の無線接続技術（ｒａｄｉｏ  ａｃｃｅｓｓ  ｔｅｃｈｎｏｌｏｇｙ；ＲＡＴ）に比べて向上した移動広帯域（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。
【０００３】
信頼度（ｒｅｌｉａｂｉｌｉｔｙ）及び遅延（ｌａｔｅｎｃｙ）に敏感なサービスまたは端末を考慮した通信システムデザインが論議されており、改善された移動広帯域通信、マッシブＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術を新しいＲＡＴ（ｒａｄｉｏ  ａｃｃｅｓｓ  ｔｅｃｈｎｏｌｏｇｙ）またはＮＲ（ｎｅｗ  ｒａｄｉｏ）と呼ぶ。
【０００４】
一方、既存ＬＴＥ（Ｌｏｎｇ  Ｔｅｒｍ  Ｅｖｏｌｕｔｉｏｎ）では、トランスポートブロックのサイズが一定大きさより大きくなると、送信するデータを多数個のコードブロックに分け、各コードブロック別にチャネルコーディング及びＣＲＣ（ｃｙｃｌｉｃ  ｒｅｄｕｎｄａｎｃｙ  ｃｈｅｃｋ）を追加してトランスポートブロックに含ませた後、一つのデータチャネルを介して送信した。前記データチャネルで、端末は、デコーディングを試みるようになり、このとき、前記トランスポートブロックに含まれている多数個のコードブロックのうち一個でもデコーディングに失敗するようになると、基地局に前記トランスポートブロックに対してＮＡＣＫを送信する。その場合、基地局は、該当コードブロックが含まれている全体トランスポートブロックを再送信した。即ち、現在ＬＴＥのＨＡＲＱ（ｈｙｂｒｉｄ  ａｕｔｏｍａｔｉｃ  ｒｅｐｅａｔ  ｒｅｑｕｅｓｔ）動作では、トランスポートブロック単位で送信及び再送信が行われている。
【０００５】
しかし、ＮＲでは、既存ＬＴＥに比べて広いシステム帯域を使用することを考慮しているため、一つのトランスポートブロックの大きさが相対的に大きい可能性が高い。したがって、一つのトランスポートブロックを構成するコードブロックの個数も多くなる。
【０００６】
ＮＲにおいて、既存のＬＴＥと同様に、トランスポートブロック単位でＨＡＲＱ動作が行われると、少数のコードブロックに対してのみデコーディングに失敗しても、該当コードブロックを含む全体トランスポートブロックを再送信しなければならないため、リソース活用側面で非効率的な問題がある。
【発明の概要】
【発明が解決しようとする課題】
【０００７】
無線通信システムにおいて、端末のデータ受信方法及び装置を提供しようとする。
【課題を解決するための手段】
【０００８】
一側面において、無線通信システムにおける端末のデータ受信方法を提供する。前記方法は、第１のデータをトランスポートブロック（ｔｒａｎｓｐｏｒｔ  ｂｌｏｃｋ）単位で受信し、前記トランスポートブロックは、少なくとも一つのコードブロックグループ（ｃｏｄｅ  ｂｌｏｃｋ  ｇｒｏｕｐ：ＣＢＧ）を含み、前記少なくとも一つのコードブロックグループの各々に対するＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）情報を送信し、前記少なくとも一つのコードブロックグループのうちＮＡＣＫを送信したコードブロックグループに含まれている第２のデータをコードブロックグループ単位で受信することを特徴とする。
【０００９】
上位階層信号を受信し、前記上位階層信号は、コードブロックグループ単位のデータ再送信可否を設定する。
【００１０】
前記第２のデータは、前記第１のデータの一部である。
【００１１】
前記方法は、前記第１のデータをスケジューリングする第１のダウンリンク制御情報（ｄｏｗｎｌｉｎｋ  ｃｏｎｔｒｏｌ  ｉｎｆｏｒｍａｔｉｏｎ：ＤＣＩ）を受信するステップをさらに含む。
【００１２】
前記方法は、前記第２のデータをスケジューリングする第２のＤＣＩを受信するステップをさらに含む。
【００１３】
前記第１のＤＣＩ及び前記第２のＤＣＩは、各々、トランスポートブロック単位スケジューリングとコードブロックグループ単位スケジューリングのうちどの方式によりスケジューリングされるかを指示する１ビットを含む。
【００１４】
前記第１のＤＣＩに含まれている第１のＨＡＲＱ（ｈｙｂｒｉｄ  ａｕｔｏｍａｔｉｃ  ｒｅｐｅａｔ  ｒｅｑｕｅｓｔ）プロセスＩＤ（ｉｄｅｎｔｉｔｙ）フィールドの値と前記第２のＤＣＩに含まれている第２のＨＡＲＱプロセスＩＤフィールドの値が同じであり、前記第２のＤＣＩに含まれている第２のＮＤＩ（ｎｅｗ  ｄａｔａ  ｉｎｄｉｃａｔｏｒ）フィールドの値が前記第１のＤＣＩに含まれている第１のＮＤＩフィールドの値と同じ場合、前記第２のＤＣＩに含まれている残りのフィールドをコードブロックグループ単位スケジューリングに対する情報と解釈する。
【００１５】
前記第１のＤＣＩに含まれている第１のＨＡＲＱ（ｈｙｂｒｉｄ  ａｕｔｏｍａｔｉｃ  ｒｅｐｅａｔ  ｒｅｑｕｅｓｔ）プロセスＩＤ（ｉｄｅｎｔｉｔｙ）フィールドの値と前記第２のＤＣＩに含まれている第２のＨＡＲＱプロセスＩＤフィールドの値が同じであり、前記第２のＤＣＩに含まれている第２のＮＤＩ（ｎｅｗ  ｄａｔａ  ｉｎｄｉｃａｔｏｒ）フィールドの値が前記第１のＤＣＩに含まれている第１のＮＤＩフィールドの値と異なる場合、前記第２のＤＣＩに含まれている残りのフィールドをトランスポートブロック単位スケジューリングに対する情報と解釈する。
【００１６】
前記上位階層信号がコードブロックグループ単位のデータ再送信を設定した場合、前記第１のＤＣＩ及び前記第２のＤＣＩは、各々、コードブロックグループ（ｃｏｄｅ  ｂｌｏｃｋ  ｇｒｏｕｐ：ＣＢＧ）を指示するＣＢＧ指示フィールドを含む。
【００１７】
前記第１のＤＣＩに含まれている第１のＨＡＲＱ（ｈｙｂｒｉｄ  ａｕｔｏｍａｔｉｃ  ｒｅｐｅａｔ  ｒｅｑｕｅｓｔ）プロセスＩＤ（ｉｄｅｎｔｉｔｙ）フィールドの値と前記第２のＤＣＩに含まれている第２のＨＡＲＱプロセスＩＤフィールドの値が同じであり、前記第２のＤＣＩに含まれている第２のＮＤＩ（ｎｅｗ  ｄａｔａ  ｉｎｄｉｃａｔｏｒ）フィールドの値が前記第１のＤＣＩに含まれている第１のＮＤＩフィールドの値と異なり、前記第２のＤＣＩに含まれているＣＢＧ指示フィールドがトランスポートブロックを構成するコードブロックグループのうち一部のみを指示する場合、前記トランスポートブロックを構成するコードブロックグループ全体に対してＮＡＣＫを送信する。
【００１８】
他の側面で提供される端末は、無線信号を送受信するトランシーバ（ｔｒａｎｓｃｅｉｖｅｒ）及び前記トランシーバに連結されるプロセッサを含み、前記プロセッサは、第１のデータをトランスポートブロック（ｔｒａｎｓｐｏｒｔ  ｂｌｏｃｋ）単位で受信し、前記トランスポートブロックは、少なくとも一つのコードブロック（ｃｏｄｅ  ｂｌｏｃｋ）グループを含み、前記少なくとも一つのコードブロックグループの各々に対するＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）情報を送信し、前記少なくとも一つのコードブロックグループのうちＮＡＣＫを送信したコードブロックグループに含まれている第２のデータをコードブロックグループ単位で受信することを特徴とする。
【発明の効果】
【００１９】
本発明によると、基地局と端末との間のＨＡＲＱ動作は、コードブロックまたはコードブロックグループ単位の再送信を含む。したがって、既存のようなリソース活用の非効率性が発生することを減らすことができる。また、本発明によると、端末は、ダウンリンク制御情報を受信した時、トランスポートブロック単位のスケジューリングに対するものか、またはコードブロックグループ単位のスケジューリングに対するものかを容易且つ明確に区分できる。また、コードブロックグループ単位のスケジューリングに関連したダウンリンク制御情報を構成する具体的な方法を提供する。
【図面の簡単な説明】
【００２０】
【図１】無線フレームの構造を示す。
【図２】一つのスロットに対するリソースグリッド(ｒｅｓｏｕｒｃｅ ｇｒｉｄ)の一例を示す。
【図３】アップリンクサブフレームの構造を示す。
【図４】ダウンリンクサブフレームの構造を示す。
【図５】ＮＲが適用される次世代無線接続ネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図６】ＮＧ−ＲＡＮと５ＧＣとの間の機能的分割を例示する。
【図７】セルフコンテインドサブフレーム構造を例示する。
【図８】本発明の一実施例に係る端末のデータ受信方法を例示する。
【図９】図８の方法を適用する具体的な例を示す。
【図１０】ＣＢＧ単位再送信関連ＤＣＩを受信した端末の動作方法を例示する。
【図１１】シンボル単位またはシンボルグループ（即ち、複数のシンボル）単位で各サブスロットに交互に周波数優先マッピングする方法を例示する。
【図１２】ＣＢＧを構成するＣＢを各サブスロットに交互に割り当てて特定ＣＢＧを構成するＣＢを各サブスロット別に分散する形態のマッピング方法を例示する。
【図１３】前記表１の方法１、２、３によるアップリンクスケジューリングＤＣＩの構造を例示する。
【図１４】表１の方法４、５による時、アップリンクスケジューリングＤＣＩに追加されたビットフィールドを解釈して波形とＲＡタイプを指示する他の例を示す。
【図１５】前述した提案方法Ａ−１とＢ−１を結合した場合におけるＣＢＧ単位スケジューリングＤＣＩを例示する。
【図１６】基地局及び端末を示すブロック図である。
【図１７】端末を示すブロック図である。
【発明を実施するための形態】
【００２１】
図１は、無線フレームの構造を示す。
【００２２】
図１を参照すると、無線フレームは、１０個のサブフレーム(ｓｕｂｆｒａｍｅ)で構成され、一つのサブフレームは、２個のスロット(ｓｌｏｔ)で構成される。無線フレーム内のスロットは、＃０から＃１９までのスロット番号が付けられる。一つのサブフレームの送信にかかる時間をＴＴＩ(Ｔｒａｎｓｍｉｓｓｉｏｎ Ｔｉｍｅ Ｉｎｔｅｒｖａｌ)という。ＴＴＩは、データ送信のためのスケジューリング単位である。例えば、一つの無線フレームの長さは１０ｍｓであり、一つのサブフレームの長さは１ｍｓであり、一つのスロットの長さは０.５ｍｓである。
【００２３】
前記無線フレームの構造は、一例にすぎない。したがって、無線フレームに含まれるサブフレームの個数やサブフレームに含まれるスロットの個数は、多様に変更されることができる。
【００２４】
図２は、一つのスロットに対するリソースグリッド(ｒｅｓｏｕｒｃｅ ｇｒｉｄ)の一例を示す。
【００２５】
スロットは、ダウンリンクスロットとアップリンクスロットがある。ダウンリンクスロットは、時間領域で複数のＯＦＤＭ(ｏｒｔｈｏｇｏｎａｌ  ｆｒｅｑｕｅｎｃｙ  ｄｉｖｉｓｉｏｎ  ｍｕｌｔｉｐｌｅｘｉｎｇ)シンボルを含む。ＯＦＤＭシンボルは、特定時間区間を示すものであり、送信方式によってＳＣ−ＦＤＭＡシンボルとも呼ばれる。ダウンリンクスロットは、周波数領域でＮＲＢ個のリソースブロック(ＲＢ；Ｒｅｓｏｕｒｃｅ Ｂｌｏｃｋ)を含む。リソースブロックは、リソース割当単位であり、時間領域で一つのスロット、周波数領域で複数の連続する副搬送波(ｓｕｂｃａｒｒｉｅｒ)を含む。
【００２６】
ダウンリンクスロットに含まれるリソースブロックの数ＮＲＢは、セルで設定されるダウンリンク送信帯域幅(ｂａｎｄｗｉｄｔｈ)に従属する。例えば、ＬＴＥシステムにおいて、ＮＲＢは６〜１１０のうちいずれか一つである。アップリンクスロットの構造も前記ダウンリンクスロットの構造と同じである。
【００２７】
リソースグリッド上の各要素(ｅｌｅｍｅｎｔ)をリソース要素(ｒｅｓｏｕｒｃｅ ｅｌｅｍｅｎｔ、ＲＥ)という。リソースグリッド上のリソース要素は、スロット内のインデックス対(ｐａｉｒ)(ｋ,ｌ)により識別されることができる。ここで、ｋ(ｋ＝０,...,ＮＲＢ×１２−１)は、周波数領域内の副搬送波インデックスであり、ｌ(ｌ＝０,...,６)は、時間領域内のＯＦＤＭシンボルインデックスである。
【００２８】
一つのリソースブロックは、時間領域で７ＯＦＤＭシンボル、周波数領域で１２副搬送波で構成されて７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔(ｆｒｅｑｕｅｎｃｙ ｓｐａｃｉｎｇ)などによって多様に変更されることができる。例えば、ノーマルＣＰ(ｎｏｒｍａｌ ｃｙｃｌｉｃ ｐｒｉｆｉｘ)の場合、ＯＦＤＭシンボルの数は７であり、拡張されたＣＰ(ｅｘｔｅｎｄｅｄ ｃｙｃｌｉｃ ｐｒｅｆｉｘ)の場合、ＯＦＤＭシンボルの数は６である。一つのＯＦＤＭシンボルで副搬送波の数は１２８、２５６、５１２、１０２４、１５３６及び２０４８のうち一つを選定して使用することができる。
【００２９】
図３は、アップリンクサブフレームの構造を示す。
【００３０】
アップリンクサブフレームは、周波数領域で制御領域とデータ領域とに分けられる。制御領域は、アップリンク制御情報が送信されるためのＰＵＣＣＨ(Ｐｈｙｓｉｃａｌ Ｕｐｌｉｎｋ Ｃｏｎｔｒｏｌ Ｃｈａｎｎｅｌ)が割り当てられる。データ領域は、データが送信されるためのＰＵＳＣＨ(Ｐｈｙｓｉｃａｌ Ｕｐｌｉｎｋ Ｓｈａｒｅｄ Ｃｈａｎｎｅｌ)が割り当てられる。端末は、設定によってＰＵＣＣＨとＰＵＳＣＨを同時に送信しない、または同時に送信できる。
【００３１】
一つの端末に対するＰＵＣＣＨは、サブフレームでリソースブロック対(ＲＢ ｐａｉｒ)で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界(ｓｌｏｔ ｂｏｕｎｄａｒｙ)を基準に変更される。これをＰＵＣＣＨに割り当てられるＲＢ対がスロット境界で周波数がホッピング(ｆｒｅｑｕｅｎｃｙ−ｈｏｐｐｅｄ)されたという。端末がアップリンク制御情報を時間によって互いに異なる副搬送波を介して送信することによって、周波数ダイバーシティ(ｄｉｖｅｒｓｉｔｙ)利得を得ることができる。
【００３２】
ＰＵＣＣＨ上に送信されるアップリンク制御情報には、ＡＣＫ/ＮＡＣＫ、ダウンリンクチャネル状態を示すＣＳＩ(Ｃｈａｎｎｅｌ Ｓｔａｔｅ Ｉｎｆｏｒｍａｔｉｏｎ)、アップリンク無線リソース割当要求であるＳＲ(Ｓｃｈｅｄｕｌｉｎｇ Ｒｅｑｕｅｓｔ)などがある。ＣＳＩには、プリコーディング行列を指示するＰＭＩ(ｐｒｅｃｏｄｉｎｇ ｍａｔｒｉｘ ｉｎｄｅｘ)、端末が選好するランク値を示すＲＩ(ｒａｎｋ ｉｎｄｉｃａｔｏｒ)、チャネル状態を示すＣＱＩ(ｃｈａｎｎｅｌ ｑｕａｌｉｔｙ ｉｎｄｉｃａｔｏｒ)などがある。
【００３３】
ＰＵＳＣＨは、トランスポートチャネル(ｔｒａｎｓｐｏｒｔ ｃｈａｎｎｅｌ)であるＵＬ−ＳＣＨ(Ｕｐｌｉｎｋ Ｓｈａｒｅｄ Ｃｈａｎｎｅｌ)にマッピングされる。ＰＵＳＣＨ上に送信されるアップリンクデータは、ＴＴＩ中に送信されるＵＬ−ＳＣＨのためのデータブロックであるトランスポートブロック(ｔｒａｎｓｐｏｒｔ ｂｌｏｃｋ)である。前記トランスポートブロックは、ユーザ情報である。または、アップリンクデータは、多重化された(ｍｕｌｔｉｐｌｅｘｅｄ)データである。多重化されたデータは、ＵＬ−ＳＣＨのためのトランスポートブロックと制御情報が多重化されたものである。例えば、データに多重化される制御情報には、ＣＱＩ、ＰＭＩ、ＡＣＫ/ＮＡＣＫ、ＲＩなどがある。または、アップリンクデータは、制御情報のみで構成されることもできる。
【００３４】
図４は、ダウンリンクサブフレームの構造を示す。
【００３５】
ダウンリンクサブフレームは、時間領域で２個のスロットを含み、各スロットは、ノーマルＣＰで７個のＯＦＤＭシンボルを含む。サブフレーム内の第１のスロットの前方部の最大３ＯＦＤＭシンボル(１.４Ｍｈｚ帯域幅に対しては最大４ＯＦＤＭシンボル)は、制御チャネルが割り当てられる制御領域(ｃｏｎｔｒｏｌ ｒｅｇｉｏｎ)であり、残りのＯＦＤＭシンボルは、ＰＤＳＣＨ(Ｐｈｙｓｉｃａｌ Ｄｏｗｎｌｉｎｋ Ｓｈａｒｅｄ Ｃｈａｎｎｅｌ)が割り当てられるデータ領域である。ＰＤＳＣＨは、基地局またはノードが端末にデータを送信するチャネルを意味する。
【００３６】
制御領域で送信される制御チャネルには、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＨＩＣＨ(Ｐｈｙｓｉｃａｌ Ｈｙｂｒｉｄ−ＡＲＱ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)がある。
【００３７】
サブフレームの１番目のＯＦＤＭシンボルで送信されるＰＣＦＩＣＨは、サブフレーム内で制御チャネルの送信に使われるＯＦＤＭシンボルの個数(即ち、制御領域の大きさ)に対する情報であるＣＦＩ(ｃｏｎｔｒｏｌ ｆｏｒｍａｔ ｉｎｄｉｃａｔｏｒ)を伝送する。端末は、まず、ＰＣＦＩＣＨ上にＣＦＩを受信した後、ＰＤＣＣＨをモニタリングする。ＰＤＣＣＨと違って、ＰＣＦＩＣＨは、ブラインドデコーディングを使用せずに、サブフレームの固定されたＰＣＦＩＣＨリソースを介して送信される。
【００３８】
ＰＨＩＣＨは、アップリンクＨＡＲＱ(ｈｙｂｒｉｄ ａｕｔｏｍａｔｉｃ ｒｅｐｅａｔ ｒｅｑｕｅｓｔ)のためのＡＣＫ(ａｃｋｎｏｗｌｅｄｇｅｍｅｎｔ)/ＮＡＣＫ(ｎｏｔ−ａｃｋｎｏｗｌｅｄｇｅｍｅｎｔ)信号を伝送する。端末が送信したアップリンクデータに対するＡＣＫ/ＮＡＣＫ信号は、ＰＨＩＣＨ上に送信される。ＰＨＩＣＨに対しては詳細に後述する。
【００３９】
ＰＤＣＣＨは、ダウンリンク制御情報(ｄｏｗｎｌｉｎｋ ｃｏｎｔｒｏｌ ｉｎｆｏｒｍａｔｉｏｎ、ＤＣＩ)を送信する制御チャネルである。ＤＣＩは、ＰＤＳＣＨのリソース割当(これをダウンリンクグラント(ｄｏｗｎｌｉｎｋ ｇｒａｎｔ：ＤＬグラント)ともいう)、ＰＵＳＣＨ(ｐｈｙｓｉｃａｌ ｕｐｌｉｎｋ ｓｈａｒｅｄ ｃｈａｎｎｅｌ)のリソース割当(これをアップリンクグラント(ｕｐｌｉｎｋ ｇｒａｎｔ：ＵＬグラント)ともいう)、任意の端末グループ内の個別端末に対する送信パワー制御命令の集合及び/またはＶｏＩＰ(Ｖｏｉｃｅ ｏｖｅｒ Ｉｎｔｅｒｎｅｔ Ｐｒｏｔｏｃｏｌ)の活性化を含むことができる。
【００４０】
次世代通信では、より多くの通信機器がより大きい通信容量を要求する。それにつれて、既存の無線接続技術（ｒａｄｉｏ  ａｃｃｅｓｓ  ｔｅｃｈｎｏｌｏｇｙ）に比べて向上した移動広帯域（ｍｏｂｉｌｅ  ｂｒｏａｄｂａｎｄ）通信に対する必要性が台頭されている。また、多数の機器及びモノを連結していつでもどこでも多様なサービスを提供する大規模機械タイプ通信（ｍａｓｓｉｖｅ  Ｍａｃｈｉｎｅ  Ｔｙｐｅ  Ｃｏｍｍｕｎｉｃａｔｉｏｎｓ：ｍａｓｓｉｖｅ  ＭＴＣ）も次世代通信で考慮される主要案件のうち一つである。それだけでなく、信頼性（ｒｅｌｉａｂｉｌｉｔｙ）及び遅延（ｌａｔｅｎｃｙ）に敏感なサービス／端末を考慮した通信システムデザインが論議されている。このように改善された移動広帯域通信（ｅｎｈａｎｃｅｄ  ｍｏｂｉｌｅ  ｂｒｏａｄｂａｎｄ  ｃｏｍｍｕｎｉｃａｔｉｏｎ）、大規模ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術の導入が論議されており、本発明では前記次世代無線接続技術を便宜上該当ＮＲ（ｎｅｗ  ＲＡＴ、ｏｒ  ｎｅｗ  ｒａｄｉｏ）と呼ぶ。
【００４１】
図５は、ＮＲが適用される次世代無線接続ネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００４２】
図５を参照すると、ＮＧ−ＲＡＮは、端末にユーザ平面及び制御平面プロトコル終端（ｔｅｒｍｉｎａｔｉｏｎ）を提供するｇＮＢ及び／またはｅＮＢを含むことができる。図５では、ｇＮＢのみを含む場合を例示する。ｇＮＢ及びｅＮＢは、相互間にＸｎインターフェースを介して連結されている。ｇＮＢ及びｅＮＢは、５世代コアネットワーク（５Ｇ  Ｃｏｒｅ  Ｎｅｔｗｏｒｋ：５ＧＣ）とＮＧインターフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースを介して連結され、ＵＰＦ（ｕｓｅｒ  ｐｌａｎｅ  ｆｕｎｃｔｉｏｎ）とはＮＧ−Ｕインターフェースを介して連結される。
【００４３】
図６は、ＮＧ−ＲＡＮと５ＧＣとの間の機能的分割を例示する。
【００４４】
図６を参照すると、ｇＮＢは、インターセル間の無線リソース管理（Ｉｎｔｅｒ  Ｃｅｌｌ  ＲＲＭ）、無線ベアラ管理（ＲＢ  ｃｏｎｔｒｏｌ）、接続移動性制御（Ｃｏｎｎｅｃｔｉｏｎ  Ｍｏｂｉｌｉｔｙ  Ｃｏｎｔｒｏｌ）、無線許容制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ＆Ｐｒｏｖｉｓｉｏｎ）、動的リソース割当（ｄｙｎａｍｉｃ  ｒｅｓｏｕｒｃｅ  ａｌｌｏｃａｔｉｏｎ）などの機能を提供することができる。ＡＭＦは、ＮＡＳセキュリティ、アイドル状態移動性処理などの機能を提供することができる。ＵＰＦは、移動性アンカリング（Ｍｏｂｉｌｉｔｙ  Ａｎｃｈｏｒｉｎｇ）、ＰＤＵ処理などの機能を提供することができる。ＳＭＦ（Ｓｅｓｓｉｏｎ  Ｍａｎａｇｅｍｅｎｔ  Ｆｕｎｃｔｉｏｎ）は、端末ＩＰアドレス割当、ＰＤＵセッション制御などの機能を提供することができる。
【００４５】
［ＮＲにおけるサブフレーム構造］
【００４６】
ＮＲでは、データ送信遅延を最小化するためにセルフコンテインドサブフレーム構造（ｓｅｌｆ−ｃｏｎｔａｉｎｅｄ  ｓｕｂｆｒａｍｅ  ｓｔｒｕｃｔｕｒｅ）を考慮している。
【００４７】
図７は、セルフコンテインドサブフレーム構造を例示する。
【００４８】
図７を参照すると、サブフレームの１番目のシンボルは、ダウンリンク制御（ｄｏｗｎｌｉｎｋ  ｃｏｎｔｒｏｌ）領域であり、サブフレームの最後のシンボルは、アップリンク制御（ｕｐｌｉｎｋ  ｃｏｎｔｒｏｌ）領域である。１番目のシンボルと最後のシンボルとの間の領域は、ダウンリンクデータ送信のために使われることもでき、アップリンクデータ送信のために使われることもできる。
【００４９】
セルフコンテインドサブフレーム構造の特徴は、一個のサブフレーム内でダウンリンク送信とアップリンク送信が両方とも進行されることができるため、サブフレーム内でダウンリンクデータを送り、アップリンクＡＣＫ／ＮＡＣＫも受けることができる。結果的に、データ送信エラー発生時にデータ再送信までかかる時間を減らすことができ、それによって、最終データ伝達の遅延を最小化することができる。
【００５０】
前記セルフコンテインドサブフレームの例として、下記のような四つのサブフレームタイプを考慮することができる。即ち、セルフコンテインドサブフレームは、時間領域で下記のように構成されることができる。
【００５１】
１）ダウンリンク制御区間＋ダウンリンクデータ区間＋ＧＰ（ｇｕａｒｄ  ｐｅｒｉｏｄ：保護区間）＋アップリンク制御区間
【００５２】
２）ダウンリンク制御区間＋ダウンリンクデータ区間
【００５３】
３）ダウンリンク制御区間＋ＧＰ＋アップリンクデータ区間＋アップリンク制御区間
【００５４】
４）ダウンリンク制御区間＋ＧＰ＋アップリンクデータ区間
【００５５】
前記セルフコンテインドサブフレーム構造で、基地局と端末が送信モードから受信モードに転換する過程または受信モードから送信モードに転換する過程のための時間ギャップ（ｔｉｍｅ  ｇａｐ）が必要であり、そのために、サブフレーム構造で、ダウンリンクからアップリンクに転換される時点の一部ＯＦＤＭシンボルが保護区間（ｇｕａｒｄ  ｐｅｒｉｏｄ：ＧＰ）に設定されることができる。
【００５６】
［アナログビームフォーミング（Ａｎａｌｏｇ  ｂｅａｍｆｏｒｍｉｎｇ）］
【００５７】
ミリ波（Ｍｉｌｌｉｍｅｔｅｒ  Ｗａｖｅ：ｍｍＷ）では波長が短くなって同じ面積に多数個のアンテナ設置が可能になる。即ち、３０ＧＨｚ帯域における波長は１ｃｍであって、５ｂｙ５ｃｍのパネル（ｐａｎｅｌ）に０．５ｌａｍｂｄａ（波長）間隔に２次元配列形態で総１００個のアンテナ要素設置が可能である。したがって、ｍｍＷでは多数個のアンテナ要素を使用してビームフォーミング利得を高めてカバレッジを増加させ、または処理量（ｔｈｒｏｕｇｈｐｕｔ）を高めようとする。
【００５８】
この場合、アンテナ要素別に送信パワー及び位相調節が可能にＴＸＲＵ（ｔｒａｎｓｃｅｉｖｅｒ  ｕｎｉｔ）を有すると、周波数リソース別に独立的なビームフォーミングが可能である。しかし、１００余個のアンテナ要素の全てにＴＸＲＵを設置するには価格側面で実効性が低下される問題を有するようになる。したがって、一つのＴＸＲＵに多数個のアンテナ要素をマッピングし、アナログ移相器（ａｎａｌｏｇ  ｐｈａｓｅ  ｓｈｉｆｔｅｒ）でビームの方向を調節する方式が考慮されている。このようなアナログビームフォーミング方式は、全帯域において一つのビーム方向のみを作ることができて周波数選択的ビームフォーミングをすることができないという短所を有する。
【００５９】
デジタル帯域フィルタとアナログ帯域フィルタの中間形態でＱ個のアンテナ要素より少ない個数であるＢ個のＴＸＲＵを有するハイブリッド帯域フィルタを考慮することができる。この場合、Ｂ個のＴＸＲＵとＱ個のアンテナ要素の連結方式によって異なるが、同時に送信できるビームの方向は、Ｂ個以下に制限されるようになる。
【００６０】
以下、本発明に対して説明する。
【００６１】
既存ＬＴＥ（Ｌｏｎｇ  Ｔｅｒｍ  Ｅｖｏｌｕｔｉｏｎ）では、ダウンリンクトランスポートブロック（ｔｒａｎｓｐｏｒｔ  ｂｌｏｃｋ：ＴＢ）サイズが一定大きさより大きくなると、送信するデータ（または、ｂｉｔ  ｓｔｒｅａｍ）を多数個のコードブロック（ｃｏｄｅ  ｂｌｏｃｋ：ＣＢ）に分け、各ＣＢ別にチャネルコーディング及びＣＲＣ（ｃｙｃｌｉｃ  ｒｅｄｕｎｄａｎｃｙ  ｃｈｅｃｋ）を追加して一つのＰＤＳＣＨ／ＴＢを介して送信する。即ち、一つのＴＢ内に複数のＣＢが含まれることができ、前記ＴＢは、ＰＤＳＣＨを介して送信される。
【００６２】
送信されたＰＤＳＣＨは、端末でデコーディングが試みられる。このとき、一つのＴＢ内に含まれている多数個のＣＢのうち一個でもデコーディングに失敗するようになると、端末は、基地局に該当ＰＤＳＣＨ／ＴＢに対してＮＡＣＫを送信し、基地局は、該当ＣＢが含まれている全体ＴＢを再送信する。即ち、現在ＬＴＥにおけるＨＡＲＱ動作は、トランスポートブロック（ＴＢ）単位で送信及び再送信が行われる構造である。
【００６３】
一方、ＮＲでは、ＬＴＥ／ＬＴＥ−Ａ（以下、ＬＴＥと略称）に比べて広いシステム帯域（ｂａｎｄｗｉｄｔｈ：ＢＷ）を考慮しているため、一つのＴＢの大きさが相対的に大きい可能性が高い。したがって、一つのＴＢを構成するＣＢの数（即ち、一つのＴＢに含まれるＣＢの個数）が既存ＬＴＥに比べて多くなる。
【００６４】
したがって、既存のＬＴＥシステムのようにＴＢ単位でＨＡＲＱ動作が行われると、少数のＣＢがデコーディングに失敗してＮＡＣＫが報告された場合も該当ＣＢを含む全体ＴＢを再送信しなければならないため、リソース活用側面で非効率的である。
【００６５】
また、ＮＲでは、相対的に長いＴＴＩ（Ｔｒａｎｓｍｉｓｓｉｏｎ  Ｔｉｍｅ  Ｉｎｔｅｒｖａｌ）を有する、遅延に敏感でない（ｄｅｌａｙ−ｉｎｓｅｎｓｉｔｉｖｅ）データタイプ１（例えば、ｅＭＢＢ（ｅｎｈａｎｃｅｄ  Ｍｏｂｉｌｅ  ＢｒｏａｄＢａｎｄ））送信に割り当てられたリソースに含まれている一部シンボルをパンクチャリングした後、そこに、相対的に短いＴＴＩを有する遅延に敏感な（ｄｅｌａｙ−ｓｅｎｓｉｔｉｖｅ）データタイプ２（例えば、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ））を送信することをサポートすることができる。このような場合、データタイプ１に対して送信される一つのＴＢを構成する多数個のＣＢのうち特定の一部ＣＢにデコーディング失敗（即ち、ＮＡＣＫを送信しなければならない）が集中する現象が発生されることができる。
【００６６】
本発明では、このようなＮＲの動作特性を考慮して、ＣＢまたはコードブロックグループ（ｃｏｄｅ  ｂｌｏｃｋ  ｇｒｏｕｐ：ＣＢＧ）単位の（再送信）スケジューリングに適用される単一ペイロード（ｐａｙｌｏａｄ）サイズのＤＣＩフォーマットを構成する方式を提案する。
【００６７】
前記提案には、基地局がダウンリンクデータを送信する時、初期ＴＢ送信かまたはＣＢＧ単位の再送信か、もし、再送信の場合は、ＴＢ内のどのＣＢ／ＣＢＧに対する再送信かを端末に知らせることができるＤＣＩ構成方法を含んでいる。
【００６８】
以下、ＣＢＧは、単一ＴＢを構成する全てのＣＢが一つのＣＢＧに設定され、または単一ＴＢを構成するＣＢのうち一つまたは少なくとも２個のＣＢが一つのＣＢＧで構成されることができる。
【００６９】
以下、ＴＢ単位の送信またはＴＢ単位の再送信（スケジューリング）は、該当ＴＢを構成している全てのＣＢ／ＣＢＧに対する送信または再送信（スケジューリング）を意味できる。ＣＢＧ単位の再送信（スケジューリング）は、ＴＢに含まれているＣＢのうち、一部ＣＢに対する再送信（スケジューリング）を意味できる。
【００７０】
また、下記提案方法では、主にダウンリンクデータスケジューリング動作を中心に説明するが、本発明における提案方法の適用は、ダウンリンク／アップリンクデータスケジューリング動作の両方ともに適用可能である。
【００７１】
図８は、本発明の一実施例に係る端末のデータ受信方法を例示する。
【００７２】
図８を参照すると、端末は、少なくとも一つのコードブロック（ｃｏｄｅ  ｂｌｏｃｋ）またはコードブロックグループ（ｃｏｄｅ  ｂｌｏｃｋ  ｇｒｏｕｐ：ＣＢＧ）を含むトランスポートブロック（ｔｒａｎｓｐｏｒｔ  ｂｌｏｃｋ：ＴＢ）単位で第１のデータを受信する（Ｓ１０）。ここで、一つのコードブロックグループは、例えば、１、２、４、６または８個のコードブロックを含むことができる。
【００７３】
端末は、前記少なくとも一つのコードブロックグループの各々に対するＡＣＫ／ＮＡＣＫ情報を送信し（Ｓ２０）、前記少なくとも一つのコードブロックグループのうちＮＡＣＫを送信したコードブロックグループに含まれている第２のデータをコードブロックグループ単位で受信する（Ｓ３０）。
【００７４】
図９は、図８の方法を適用する具体的な例を示す。
【００７５】
図９を参照すると、基地局は、端末にＲＲＣ（ｒａｄｉｏ  ｒｅｓｏｕｒｃｅ  ｃｏｎｔｒｏｌ）信号のような上位階層信号を介してＣＢＧ単位の送信（または、再送信）を設定することができる（Ｓ１００）。前記ＲＲＣ信号は、ＣＢＧ単位の送信／再送信を半静的（ｓｅｍｉ−ｓｔａｔｉｃ）に設定できる。
【００７６】
基地局は、端末に第１のＤＣＩ（ｄｏｗｎｌｉｎｋ  ｃｏｎｔｒｏｌ  ｉｎｆｏｒｍａｔｉｏｎ）を送信する（Ｓ１１０）。前記第１のＤＣＩは、第１のデータをスケジューリングする情報、即ち、第１のデータを受信するためのリソースを知らせる情報、該当するＨＡＲＱプロセスＩＤ、初期送信と再送信を区分するためのＮＤＩ（ｎｅｗ  ｄａｔａ  ｉｎｄｉｃａｔｏｒ）、ＣＢＧを指示するフィールド、トランスポートブロック単位スケジューリングとコードブロック単位スケジューリングのうちどの方式によりスケジューリングされるかを指示する１ビットのうち少なくとも一つを含むことができる。第１のＤＣＩは、ＴＢ単位スケジューリングに関連したＤＣＩである。
【００７７】
基地局は、端末にＴＢ単位の初期送信を実行する（Ｓ１２０）。
【００７８】
端末は、ＴＢに含まれている一部ＣＢ／ＣＢＧに対してＮＡＣＫをフィードバックすることができる（Ｓ１３０）。
【００７９】
基地局は、端末に第２のＤＣＩを送信する（Ｓ１４０）。ここで、第２のＤＣＩは、第２のデータをスケジューリングする情報、即ち、第２のデータを受信するためのリソースを知らせる情報、該当するＨＡＲＱプロセスＩＤ、初期送信と再送信を区分するためのＮＤＩ（ｎｅｗ  ｄａｔａ  ｉｎｄｉｃａｔｏｒ）、ＣＢＧを指示するフィールド、トランスポートブロック単位スケジューリングとコードブロック単位スケジューリングのうちどの方式によりスケジューリングされるかを指示する１ビットのうち少なくとも一つを含むことができる。例えば、基地局は、第２のＤＣＩを介して再送信が実行されるＣＢＧを知らせることができる。第２のＤＣＩは、ＣＢＧ単位スケジューリングに関連したＤＣＩである。
【００８０】
その後、基地局は、端末にＣＢ／ＣＢＧ単位の再送信を実行する（Ｓ１５０）。例えば、前記第２のＤＣＩを介して指示したＣＢＧをＣＢＧ単位で再送信できる。
【００８１】
以下、本発明に対して、より具体的に説明する。
【００８２】
（Ａ）ＴＢ単位スケジューリングとＣＢＧ単位再送信スケジューリングを区分する方法
【００８３】
１）方法Ａ−１：ＤＣＩ内の１−ｂｉｔフラグ（Ｆｌａｇ）を介してＴＢ単位スケジューリングとＣＢＧ単位の再送信スケジューリングを区分することができる。
【００８４】
基地局から送信されたダウンリンクデータ（即ち、ＰＤＳＣＨ）に対するデコーディングを実行するために、端末は、先対応される（ダウンリンクグラント）ＰＤＣＣＨをデコーディングしてＤＣＩ情報を解釈しなければならない。
【００８５】
既存ＴＢ単位スケジューリングに使われるＤＣＩ内には、ダウンリンクデータ送信に使われるリソース割当（Ｒｅｓｏｕｒｃｅ  Ａｌｌｏｃａｔｉｏｎ：ＲＡ）情報、変調及びコーディング技法（Ｍｏｄｕｌａｔｉｏｎ  ａｎｄ  Ｃｏｄｉｎｇ  Ｓｃｈｅｍｅ：ＭＣＳ）情報、新しいデータ指示子（Ｎｅｗ  Ｄａｔａ  Ｉｎｄｉｃａｔｏｒ：ＮＤＩ）及びリダンダンシーバージョン（Ｒｅｄｕｎｄａｎｃｙ  Ｖｅｒｓｉｏｎ：ＲＶ）、そしてＨＡＲＱプロセスＩＤに対する情報などが含まれている。
【００８６】
例えば、ＤＣＩフォーマット１は、一つのＰＤＳＣＨコードワードスケジューリングに使われ、ＤＣＩフォーマット１には次の情報が含まれることができる。１）リソース割当ヘッダ（リソース割当タイプ０／タイプ１を指示）−ダウンリンク帯域幅が１０ＰＲＢ（ｐｈｙｓｉｃａｌ  ｒｅｓｏｕｒｃｅ  ｂｌｏｃｋ）より小さい場合、リソース割当ヘッダは含まれず、リソース割当タイプ０と仮定されることができる。２）リソースブロック指定、３）変調及びコーディングスキーム（ｍｏｄｕｌａｔｉｏｎ  ａｎｄ  ｃｏｄｉｎｇ  ｓｃｈｅｍｅ：ＭＣＳ）、４）ＨＡＲＱプロセスナンバー（ＨＡＲＱ  ｐｒｏｃｅｓｓ  ＩＤともいう）、５）新しいデータ指示子（ｎｅｗ  ｄａｔａ  ｉｎｄｉｃａｔｏｒ：ＮＤＩ）、６）リダンダンシーバージョン（ｒｅｄｕｎｄａｎｃｙ  ｖｅｒｓｉｏｎ：ＲＶ）、７）ＰＵＣＣＨのためのＴＰＣ（ｔｒａｎｓｍｉｓｓｉｏｎ  ｐｏｗｅｒ  ｃｏｍｍａｎｄ）、８）ＤＡＩ（ｄｏｗｎｌｉｎｋ  ａｓｓｉｇｎｍｅｎｔ  ｉｎｄｅｘ）（ＴＤＤにのみ）などである。
【００８７】
ＴＢ単位（再）送信スケジューリングに使われるＤＣＩ（フォーマット）とＣＢＧ単位再送信スケジューリングに使われるＤＣＩ（フォーマット）のペイロードサイズを同じに合わせた状態で、該当ＤＣＩに１ビットフラグを追加することで、端末が受信した該当ＤＣＩが、ＴＢ単位スケジューリングのためのものか、またはＣＢＧ再送信のためのスケジューリングかを区分することができる。
【００８８】
例えば、ＤＣＩ内で、ＣＢＧ単位再送信可否を指示する１−ｂｉｔフィールドを、便宜上、“ＣＢＧ−ＲｅＴｘフィールド”と仮定する。端末は、このＣＢＧ−ＲｅＴｘフィールドがＯＦＦである場合、既存ＬＴＥの動作と同様に、該当ＤＣＩ内の残りのフィールドをＴＢ単位スケジューリング情報と解釈してＤＬデータを受信することができる。それに対し、ＣＢＧ−ＲｅＴｘフィールドがＯＮである場合、端末は、該当ＤＣＩ内の残りのフィールドをＣＢＧ単位の再送信スケジューリング情報と解釈し、それに合うようにダウンリンクデータを受信するように動作できる。
【００８９】
この方法は、毎ＤＣＩを受信した時点に該当ＤＣＩ内のＣＢＧ−ＲｅＴｘフィールドを介して、端末にＴＢ単位スケジューリングとＣＢＧ単位再送信スケジューリングを動的（Ｄｙｎａｍｉｃ）に変更して適用できるという長所がある。
【００９０】
２）方法Ａ−２：ＤＣＩ内のＮＤＩフィールド値によってＴＢ単位送信とＣＢＧ単位の再送信スケジューリングを区分することができる。
【００９１】
この方法は、端末がＲＲＣ接続セットアップ（ＲＲＣ  ｃｏｎｎｅｃｔｉｏｎ  ｓｅｔｕｐ）メッセージまたはＲＲＣ再設定メッセージ（ＲＲＣ  ｒｅｃｏｎｆｉｇｕｒａｔｉｏｎ  ｍｅｓｓａｇｅ）などからＣＢＧ単位の再送信動作を設定するフィールドを受信し、前記フィールドがＣＢＧ単位の再送信動作のＥｎａｂｌｅ／Ｄｉｓａｂｌｅのうちどれを指示しているかによってスケジューリングを異なるように解釈する半静的（ｓｅｍｉ−ｓｔａｔｉｃ）な方法である。
【００９２】
具体的に、基地局は、データ再送信をＴＢ単位のみで実行するか、またはＣＢＧ単位で実行するかを上位階層信号（例：ＲＲＣ信号）を介して端末に半静的に設定できる。ＣＢＧ単位再送信が設定された場合、データスケジューリングＤＣＩ内のＮＤＩフィールド値によって、該当ＤＣＩを介してスケジューリングされたデータがＴＢ単位送信か、またはＣＢＧ単位の再送信かを区分することができる。
【００９３】
具体的に、もし、端末に、上位階層信号を介してＣＢＧ単位再送信動作がＥｎａｂｌｅされるように設定された状態で、特定ＨＡＲＱプロセスＩＤをスケジューリングするＤＣＩ内のＮＤＩ値が、同じＨＡＲＱプロセスＩＤに対応されながら以前に受信したＤＣＩ内のＮＤＩ値と比較してトグル（ｔｏｇｇｌｅ）されない場合、基地局から送信されたＴＢのうち一部ＣＢＧがデコーディングに失敗してＮＡＣＫが報告されと見なし、該当ＤＣＩ内の残りのフィールドをＣＢＧ単位の再送信スケジューリング情報と解釈できる。
【００９４】
例えば、端末が第１のデータをスケジューリングする第１のダウンリンク制御情報（ｄｏｗｎｌｉｎｋ  ｃｏｎｔｒｏｌ  ｉｎｆｏｒｍａｔｉｏｎ：ＤＣＩ）を受信した後、第２のデータをスケジューリングする第２のＤＣＩを受信したと仮定する。この場合、第１のＤＣＩに含まれている第１のＨＡＲＱプロセスＩＤフィールドの値と第２のＤＣＩに含まれている第２のＨＡＲＱプロセスＩＤフィールドの値が同じであり、前記第２のＤＣＩに含まれている第２のＮＤＩフィールドの値と前記第１のＤＣＩに含まれている第１のＮＤＩフィールドの値が同じ場合（即ち、トグルされない場合）、前記第２のＤＣＩに含まれている残りのフィールドをコードブロック単位スケジューリングに対する情報と解釈できる。
【００９５】
前記と同じ状況で、もし、ＮＤＩ値がトグルされた場合、新しいＴＢがスケジューリングされたと解釈し、該当ＤＣＩ内の残りのフィールドをＴＢ単位スケジューリング情報と解釈できる。即ち、前記例において、第１のＤＣＩに含まれている第１のＨＡＲＱプロセスＩＤフィールドの値と前記第２のＤＣＩに含まれている第２のＨＡＲＱプロセスＩＤフィールドの値が同じであり、前記第２のＤＣＩに含まれている第２のＮＤＩフィールドの値と前記第１のＤＣＩに含まれている第１のＮＤＩフィールドの値が異なる場合（即ち、トグルされた場合）、前記第２のＤＣＩに含まれている残りのフィールドをトランスポートブロック単位スケジューリングに対する情報と解釈できる。
【００９６】
一方、端末に上位階層信号を介してＣＢＧ単位再送信動作がＤｉｓａｂｌｅされるように設定された状態である場合は、受信されるＤＣＩをＴＢ単位の（再）送信のためのスケジューリング情報と解釈できる。この方法は、毎ＤＣＩを受信した時点に該当ＤＣＩ内のＮＤＩフィールド値によって端末にＴＢ単位スケジューリングとＣＢＧ単位再送信スケジューリングを動的に変更して適用できる。
【００９７】
３）方法Ａ−３：ＰＤＣＣＨのＣＲＣマスキング（ｍａｓｋｉｎｇ）を介してＴＢ単位スケジューリングとＣＢＧ単位再送信スケジューリングを区分することができる。即ち、データスケジューリングＤＣＩがＴＢ単位スケジューリング情報か、またはＣＢＧ単位再送信スケジューリング情報かによって、該当ＤＣＩを伝送するＰＤＣＣＨに追加されるＣＲＣに互いに異なるＣＲＣマスキングパターンを適用することができる。
【００９８】
例えば、端末は、受信したＰＤＣＣＨのＣＲＣをチェックしてマスキングパターン＃１に対してＣＲＣ検査が通過された場合、該当ＰＤＣＣＨ内のＤＣＩをＴＢ単位スケジューリング情報と解釈し、それに対し、マスキングパターン＃２に対してＣＲＣ検査が通過された場合、該当ＰＤＣＣＨ内のＤＣＩをＣＢＧ単位再送信スケジューリング情報と解釈できる。
【００９９】
４）方法Ａ−４：ＰＤＣＣＨ送信リソースによってＴＢ単位スケジューリングとＣＢＧ単位再送信スケジューリングを区分することができる。即ち、この方法は、データスケジューリングＤＣＩを伝送するＰＤＣＣＨ送信に使われるリソースによって、該当ＤＣＩがＴＢ単位スケジューリング情報か、またはＣＢＧ単位再送信スケジューリング情報かを区分する方式である。
【０１００】
前記ＰＤＣＣＨ送信に使われるリソースは、該当ＰＤＣＣＨを構成する（最も低い）ＣＣＥ（ｃｏｎｔｒｏｌ  ｃｈａｎｎｅｌ  ｅｌｅｍｅｎｔ）インデックスまたはＰＤＣＣＨ候補インデックスに設定されることができる。例えば、端末は、受信したＰＤＣＣＨで使われた１番目のＣＣＥインデックスまたはＰＤＣＣＨ候補インデックスが奇数である場合、該当ＰＤＣＣＨ内のＤＣＩをＴＢ単位スケジューリング情報と解釈し、それに対し、受信したＰＤＣＣＨで使われた１番目のＣＣＥインデックスまたはＰＤＣＣＨ候補インデックスが偶数である場合、該当ＰＤＣＣＨ内のＤＣＩをＣＢＧ単位再送信スケジューリング情報と解釈できる。
【０１０１】
５）方法Ａ−５：ＤＣＩ内のＣＢＧ指示フィールドを介してＴＢ単位スケジューリングとＣＢＧ単位再送信スケジューリングを区分することができる。例えば、上位階層信号を介してＣＢＧ送信／再送信が設定された以後には、ＤＣＩにＣＢＧ指示フィールドが追加されることができる。即ち、ＤＣＩにＣＢＧ指示フィールドを追加することで、端末が受信した該当ＤＣＩが、ＴＢ単位スケジューリングのためのものか、またはＣＢＧ再送信のためのスケジューリングかを区分する方法である。
【０１０２】
例えば、端末は、受信したＤＣＩ内のＣＢＧ指示フィールドがＴＢを構成する全てのＣＢＧに対するスケジューリングを指示する場合、前記ＤＣＩの残りのフィールドをＴＢ単位スケジューリングに対する情報と解釈してＤＬデータを受信することができる。それに対し、受信したＤＣＩ内のＣＢＧ指示フィールドがＴＢを構成するＣＢＧのうち一部ＣＢＧに対するスケジューリングを指示する場合、ＤＣＩの残りのフィールドをＣＢＧ単位再送信スケジューリングに対する情報と解釈し、それに合うようにダウンリンクデータを受信するように動作できる。
【０１０３】
一方、ＴＢスケジューリングに対する第１のＤＣＩを受信した後、ＣＢＧ単位スケジューリングに対する第２のＤＣＩを受信したと仮定する。この場合、端末は、１）ＴＢスケジューリングに対する第１のＤＣＩによりトランスポートブロック大きさ（ＴＢＳ）を既に知っている状態である。第１のＤＣＩにより決定されたトランスポートブロック大きさ（ＴＢＳ）を前提にして、端末は、第２のＤＣＩ内のＭＣＳフィールドから取得した変調次数（ｍｏｄｕｌａｔｉｏｎ  ｏｒｄｅｒ）及び第２のＤＣＩのリソース割当情報（ＲＡ）に基づいてスケジューリングされたＣＢＧに対する受信／送信を実行するように動作できる。または、２）ＣＢＧスケジューリングに対する第２のＤＣＩのＭＣＳとＲＡ情報に基づいてＴＢＳを決定し、前記第２のＤＣＩを介して指示されたリソースブロック数を、再送信が必要なＣＢＧの比率に基づいてスケーリング（ｓｃａｌｉｎｇ）した後、実際ＣＢＧ再送信に使われるリソースを決定することもできる。
【０１０４】
図１０は、ＣＢＧ単位再送信関連ＤＣＩを受信した端末の動作方法を例示する。
【０１０５】
図１０を参照すると、端末は、特定ＨＡＲＱプロセスＩＤをスケジューリングするＤＣＩを受信することができる。このとき、前記ＤＣＩ内のＮＤＩ値がトグル（ｔｏｇｇｌｅ）されたかどうかを判断する（Ｓ２００）。
【０１０６】
端末は、前記ＤＣＩ内のＮＤＩ値がトグルされた場合、前記ＤＣＩ内のＣＢＧ指示フィールドが一部ＣＢＧに対するスケジューリングを指示（即ち、ＣＢＧ単位再送信スケジューリング）するかどうかを判断する（Ｓ２１０）。例えば、トランスポートブロックを構成するＣＢＧのうち一部ＣＢＧに対してのみ再送信がスケジューリングされた場合、一部ＣＢＧに対するスケジューリングと判断できる。
【０１０７】
前記ＣＢＧ指示フィールドが一部ＣＢＧに対してのみスケジューリングした場合、端末は、ｉ）全てのＣＢＧに対してＮＡＣＫをフィードバックし、またはｉｉ）前記ＤＣＩを捨てる（ｄｉｓｃａｒｄ）（Ｓ２２０）。
【０１０８】
即ち、端末は、特定ＨＡＲＱプロセスＩＤをスケジューリングするＤＣＩ内のＮＤＩ値がトグルされた状態で、前記ＤＣＩ内のＣＢＧ指示フィールドが一部ＣＢＧに対するスケジューリングを指示すると、ＴＢ単位スケジューリングＤＣＩを受信していないと見なし、１）全体ＴＢまたは全てのＣＢＧに対してＮＡＣＫをフィードバックし、または２）前記ＤＣＩ自体を捨てる（ｄｉｓｃａｒｄ）動作をすることで、基地局がＴＢ単位スケジューリング（ＤＣＩ送信）を実行するように誘導できる。
【０１０９】
この方法は、毎ＤＣＩを受信した時点に該当ＤＣＩ内のＣＢＧ指示フィールドを介して端末にＴＢ単位スケジューリングとＣＢＧ単位再送信スケジューリングを動的に変更して適用できる。
【０１１０】
（Ｂ）ＣＢＧ単位再送信スケジューリングに使われるＤＣＩ内のフィールド構成方法
【０１１１】
下記提案方法では、最初ＴＢ単位スケジューリングＤＣＩ（第１のＤＣＩ）を介して、ＴＢサイズＮは、既に端末が把握している状況であると仮定する。スケジューリング関連パラメータを、便宜上、下記のように定義することができる。
【０１１２】
１）全体ＴＢサイズ（ｂｉｔ数またはＣＢ数）：Ｎ、２）再送信スケジューリングされたＣＢＧサイズ（ｂｉｔ数またはＣＢ数）：Ｋ、３）スケジューリング可能な全体リソースブロックの個数：Ｒｍａｘ、４）再送信スケジューリングＤＣＩを介して割り当てられたリソースブロックの個数：Ｒｓｃｈ
【０１１３】
＜方法Ｂ−１：変調次数とリソース割当フィールドの組み合わせでＣＢＧ単位スケジューリングＤＣＩを構成する方法＞
【０１１４】
この方法の場合、ＣＢＧ単位再送信スケジューリングに関連した第２のＤＣＩを介しては変調次数（例えば、ＱＰＳＫ、１６ＱＡＭ、６４ＱＡＭ、２５６ＱＡＭのうち一つ）とデータ送信に割り当てられたリソースブロックに対する情報が指示されることができる。端末は、指示された該当変調次数とリソースブロックに対する情報に基づいて、スケジューリングされたＣＢＧに対する受信／送信を実行することができる。
【０１１５】
この場合、ＴＢ単位スケジューリングに関連した第１のＤＣＩに含まれている第１のＭＣＳフィールド（例えば、５−ｂｉｔ）よりＣＢＧ単位再送信スケジューリングに関連した第２のＤＣＩに含まれている第２のＭＣＳフィールド（変調次数フィールド）のサイズが少ないビット数（例えば、２−ｂｉｔ）に設定されることができる。それに対し、リソース割当（ＲＡ）フィールドサイズの場合は、ＴＢ単位スケジューリング関連第１のＤＣＩとＣＢＧ単位再送信スケジューリング関連第２のＤＣＩに対して同じビット数に設定されることができる。
【０１１６】
したがって、この方法では、ＴＢ単位スケジューリング関連第１のＤＣＩ内のＭＣＳフィールドサイズ（ビット数）から、ＣＢＧ単位再送信スケジューリング関連第２のＤＣＩ内の変調次数フィールドサイズ（ビット数）を引いて残ったビットを、ＣＢＧ単位スケジューリング関連第２のＤＣＩ内で、再送信されるＣＢＧを指示する用途として使用することができる。
【０１１７】
一方、再送信スケジューリングＤＣＩを介して指示されたＣＢＧサイズ及び変調次数とリソース割当フィールドの組み合わせによるデータコーディング率（ｄａｔａ  ｃｏｄｉｎｇ  ｒａｔｅ）が特定水準を超過する場合、端末は、再送信スケジューリングされたＣＢＧに対する受信及び／またはデコーディングを省略し、または該当ＤＣＩ自体を捨てることもできる。
【０１１８】
＜方法Ｂ−２：ＴＢＳに対応されるＭＣＳ／ＲＡ組み合わせでＣＢＧ単位スケジューリングＤＣＩを構成する方法＞
【０１１９】
ＣＢＧ単位再送信スケジューリングＤＣＩ（以下、第２のＤＣＩ）を介しては、ＴＢサイズＮに対応されるＭＣＳインデックス（Ｍ）／ＲＢ個数（Ｒ）の組み合わせ（これを以下（Ｍ、Ｒ）のように表示する）及びこのときのＲ個のＲＢの割当情報が指示されることができる。前記ＭＣＳインデックス（Ｍ）／ＲＢ数（Ｒ）組み合わせ及びこのときのＲ個ＲＢの割当情報は、ＴＢ単位スケジューリングのために定義されたＭＣＳインデックスとＲＢ個数の組み合わせによってＴＢ大きさを決定することができる表に対するものである。
【０１２０】
この場合、互いに異なる値を有する複数の（Ｍ、Ｒ）組み合わせが一つのＮ値（ＴＢサイズ）に対応されることができる。具体的に、ＤＣＩ内に（Ｍ、Ｒ）組み合わせを指示するフィールドとそのときのＲＡ情報（全体Ｒｍａｘ個のリソースブロックのうちＲ個のリソースブロックを選択／割り当てる組み合わせを指示するフィールド）が構成されることができる。この方法ではＴＢ単位スケジューリング関連第１のＤＣＩ内のＭＣＳフィールド及びＲＡフィールドサイズ（ビット数）の和から、ＣＢＧ単位再送信スケジューリング関連第２のＤＣＩ内の前記（Ｍ、Ｒ）フィールド及びＲ個のリソースブロックに対するＲＡフィールドサイズ（ビット数）の和を引いて残ったビットを、ＣＢＧ単位スケジューリングＤＣＩ内で再送信されるＣＢＧを指示する用途として使用することができる。
【０１２１】
一方、この方法の場合は、実際に全体ＴＢが全て再送信されるものではないため、ＤＣＩを介して指示された全体ＴＢサイズＮに対応されるＲＢ個数を、再送信が必要なＣＢＧの比率ほど（例えば、再送信スケジューリングされたＣＢＧサイズ／全体ＴＢサイズに）スケーリングすることで実際ＣＢＧ再送信に使われるリソースを決定することができる。
【０１２２】
即ち、端末は、ＤＣＩを介して指示された全体Ｒ個リソースブロックのうち、Ｒを（Ｋ／Ｎ）にスケーリングして切り下げまたは切り上げした整数値に（例えば、Ｒｘ（Ｋ／Ｎ））該当するリソースブロック個数Ｒｓｃａのみを使用して実際スケジューリングされたＣＢＧに対する受信／送信を実行することができる。この場合、該当Ｒｓｃａ個リソースブロックは、Ｒ個リソースブロックのうち最初または最後のＲｓｃａ個のリソースブロックである。
【０１２３】
＜方法Ｂ−３：再送信ＣＢＧサイズに対応されるＭＣＳ／ＲＡ組み合わせでＤＣＩを構成する方法＞
【０１２４】
この方法の場合、ＣＢＧ単位再送信スケジューリングＤＣＩ（第２のＤＣＩ）を介しては、ＴＢ単位スケジューリングのために定義されたＭＣＳインデックスとＲＢ個数の組み合わせによるＴＢサイズ表で、ＴＢサイズＮでない再送信スケジューリングされたＣＢＧサイズＫ（または、該当Ｋ値以下の最大ＴＢサイズまたは該当Ｋ値以上の最小ＴＢサイズ）に対応されるＭＣＳインデックス（Ｍ）／ＲＢ個数（Ｒ）組み合わせ及びこのときのＲ個リソースブロックの割当情報が指示されることができる。
【０１２５】
この場合、互いに異なる値を有する複数の（Ｍ、Ｒ）組み合わせが一つのＫ値に対応されることができる。ＤＣＩ内に（Ｍ、Ｒ）組み合わせを指示するフィールドとそのときのリソース割当情報、即ち、全体Ｒｍａｘ個リソースブロックのうちＲ個リソースブロックを選択／割り当てる組み合わせを指示するフィールドが構成されることができる。
【０１２６】
この方法では、ＴＢ単位スケジューリングＤＣＩ（第１のＤＣＩ）内のＭＣＳフィールド及びＲＡフィールドサイズ（ビット数）の和から、ＣＢＧ単位再送信スケジューリングＤＣＩ（第２のＤＣＩ）内の前記（Ｍ、Ｒ）フィールド及びＲ個リソースブロックに対するＲＡフィールドサイズ（ビット数）の和を引いて残ったビットを、ＣＢＧ単位スケジューリングＤＣＩ内で再送信されるＣＢＧを指示する用途として使用することができる。
【０１２７】
一方、この方法の場合は、実際再送信されるＣＢＧサイズに合わせてＭＣＳインデックスとＲＢ個数が指示／割り当てされる形態であり、したがって、端末は、ＤＣＩを介して指示されたＲ個のリソースブロックの全てを使用してスケジューリングされたＣＢＧに対する受信／送信を実行することができる。
【０１２８】
＜方法Ｂ−４：ＣＢＧ単位再送信スケジューリングである時のＤＣＩ内のＭＣＳフィールドを再解釈する方法＞
【０１２９】
この方法の場合、ＴＢ単位スケジューリングＤＣＩ（第１のＭＣＳ）内のＭＣＳフィールド（これをＴＢ−ＭＣＳフィールドとする）はｍ−ｂｉｔで構成された状態で、ＣＢＧ単位再送信スケジューリングＤＣＩ（第２のＤＣＩ）内のＭＣＳフィールド（これを、ＣＢＧ−ＭＣＳフィールドとする）は相対的に小さいサイズを有するｋ−ｂｉｔ（ｋ＜ｍ）で構成できる。このとき、ＣＢＧ−ＭＣＳフィールド値は、ＴＢ−ＭＣＳフィールド値の特定の一部に設定されることができる。
【０１３０】
例えば、ＣＢＧ−ＭＣＳフィールド値は、ＴＢ−ＭＣＳフィールドの値のうち、１）最も低い（変調次数及び／またはコーディング率に対応される）２ｋ個のインデックスまたは最も高い２ｋ個のインデックスに設定され、または２）ＴＢ単位スケジューリングＤＣＩを介して指示されたＴＢ−ＭＣＳインデックスを基準にして、それより低いＬ個のインデックスと高い（２ｋ−Ｌ−１）個のインデックスに設定されることができる。
【０１３１】
この方法では、ＴＢ単位スケジューリングＤＣＩ（第１のＤＣＩ）内のＴＢ−ＭＣＳフィールドサイズからＣＢＧ単位再送信スケジューリングＤＣＩ（第２のＤＣＩ）内のＣＢＧ−ＭＣＳフィールドサイズを引いて残ったビットを、ＣＢＧ単位スケジューリングＤＣＩ（第２のＤＣＩ）内で、再送信されるＣＢＧを指示する用途として使用することができる。一方、この方法の場合、端末は、前記第２のＤＣＩを介して指示されたＣＢＧ−ＭＣＳインデックスとＲＢ割当情報を適用してスケジューリングされたＣＢＧに対する受信／送信を実行することができる。
【０１３２】
＜方法Ｂ−５：ＣＢＧ単位再送信スケジューリングである時のＤＣＩ内のＲＡフィールドを再解釈する方法＞
【０１３３】
この方法の場合、ＴＢ単位スケジューリングＤＣＩ（第１のＤＣＩ）内のＲＡフィールド（これをＴＢ−ＲＡフィールドとする）はｍ−ｂｉｔで構成された状態で、ＣＢＧ単位再送信スケジューリングＤＣＩ（第２のＤＣＩ）内のＲＡフィールド（これをＣＢＧ−ＲＡフィールドとする）は相対的に小さいサイズを有するｋ−ｂｉｔ（ｋ＜ｍ）で構成できる。
【０１３４】
ＴＢ−ＲＡフィールドで、スケジューリング可能な全体リソースブロックの個数をＲｍａｘ個と考慮し、最小周波数リソース割当単位をＬｍｉｎ個のリソースブロック集合と考慮した時、ＣＢＧ−ＲＡフィールドは、１）スケジューリング可能な全体リソースブロック個数をＲｍａｘより小さい値と考慮することができる。及び／または、２）最小周波数リソース割当単位をＬｍｉｎより大きい値と考慮することができる。
【０１３５】
この方法では、ＴＢ単位スケジューリングＤＣＩ（第１のＤＣＩ）内のＴＢ−ＲＡフィールドサイズからＣＢＧ単位再送信スケジューリングＤＣＩ（第２のＤＣＩ）内のＣＢＧ−ＲＡフィールドサイズを引いて残ったビットを、ＣＢＧ単位スケジューリングＤＣＩ（第２のＤＣＩ）内で、再送信されるＣＢＧを指示する用途として使用することができる。一方、この方法の場合も、端末は、第２のＤＣＩを介して指示されたＭＣＳインデックスとＲＢ割当情報を適用してスケジューリングされたＣＢＧに対する受信／送信を実行することができる。
【０１３６】
＜方法Ｂ−６：ＣＢＧ単位再送信スケジューリングである時のＤＣＩ内の特定フィールドを再解釈する方法（アップリンク）＞
【０１３７】
この方法の場合、ＴＢ単位スケジューリングＤＣＩ（第１のＤＣＩ）に含まれる多様なフィールドのうち特定フィールド、例えば、非周期的（ａｐｅｒｉｏｄｉｃ）ＣＳＩフィードバック送信を要求するフィールド（これをａ−ＣＳＩフィールドとする）及び／または非周期的ＳＲＳ（ｓｏｕｎｄｉｎｇ  ｒｅｆｅｒｅｎｃｅ  ｓｉｇｎａｌ）送信をトリガするフィールド（これをａ−ＳＲＳフィールドとする）は、ＣＢＧ単位スケジューリングＤＣＩ（第２のＤＣＩ）内では再送信ＣＢＧを指示する用途として使用することができる。
【０１３８】
即ち、ＴＢ単位スケジューリングＤＣＩ（第１のＤＣＩ）内ではａ−ＣＳＩフィールド及び／またはａ−ＳＲＳフィールドを元来の用途通りに非周期的ＣＳＩフィードバック及び／または非周期的ＳＲＳ送信指示に使用し、ＣＢＧ単位スケジューリングＤＣＩ（第２のＤＣＩ）内ではａ−ＣＳＩフィールド及び／またはａ−ＳＲＳフィールドを非周期的ＣＳＩフィードバック及び／または非周期的ＳＲＳ送信に対する指示が実行／許容されないように定めて、再送信ＣＢＧを指示する用途として使用することができる。例えば、ＲＲＣ信号を介してＣＢＧ送信があらかじめ設定されている場合、本発明のようにａ−ＣＳＩフィールド及び／またはａ−ＳＲＳフィールドを解釈することができる。
【０１３９】
（Ｃ）ＣＢＧ単位再送信スケジューリングＤＣＩ内のＣＢＧ指示方法
【０１４０】
１）方法Ｃ−１：ＣＢＧスケジューリングＤＣＩを介して指示されたＴＢサイズにスケジューリングされたＣＢＧ数を決定する方法。
【０１４１】
この方法の場合、最初ＴＢ単位スケジューリングＤＣＩ（第１のＤＣＩ）を介して指示されたＴＢサイズＮとそのＴＢを構成しているＣＢＧの総個数Ｍを既に端末が把握していると仮定する。このような仮定下で、前記（Ｂ）の再送信ＣＢＧスケジューリングＤＣＩ（第２のＤＣＩ）を介して指示されたＴＢサイズＮ′（ＴＢサイズが変更された状況）に基づいて該当ＤＣＩからスケジューリングされた再送信ＣＢＧ数Ｍ′を決定することができる。
【０１４２】
一例として、Ｍ′個のＣＢＧを合わせた全体サイズ（例えば、ビット数）が該当Ｎ′以下の最大値または該当Ｎ′以上の最小値になるようにするＭ′に決定できる。
【０１４３】
このような方法を介して、再送信されるＣＢＧ個数を知ることができる場合、スケジューリングされたＣＢＧインデックス情報は、ＤＣＩ内の特定フィールド乃至ＣＢに適用されるＣＲＣマスキングを介して指示されることができる。もし、連続されたＣＢＧのみを再送信すると仮定する場合、前記連続されたＣＢＧで開始（最初）ＣＢＧインデックス情報のみがＤＣＩ内の特定フィールド乃至ＣＢに適用されるＣＲＣマスキングを介して指示されることもできる。
【０１４４】
また、このような再送信ＣＢＧインデックスまたは開始ＣＢＧインデックス情報は、前述した方法Ｂ−４や方法Ｂ−５のＣＢＧ単位スケジューリングＤＣＩ内で再送信されるＣＢＧを指示する用途として設定するフィールド／ビットを使用して指示されることができる。
【０１４５】
一方、特定ＨＡＲＱプロセスＩＤをスケジューリングするＤＣＩ（第２のＤＣＩ）内のＮＤＩ値が、同じＨＡＲＱプロセスＩＤに対応されながら以前に受信したＤＣＩ（第１のＤＣＩ）内のＮＤＩ値と比較してトグルされた状態であり、且つ前記第２のＤＣＩがＣＢＧ単位再送信スケジューリングを指示する場合、全体ＴＢサイズを把握していない状態である。このような場合、端末は、１）全体ＴＢまたは全てのＣＢＧに対してＮＡＣＫをフィードバックし、または２）前記第２のＤＣＩ自体を捨てることによって、基地局がＴＢ単位スケジューリング（ＤＣＩ送信）を実行するように誘導できる。
【０１４６】
（Ｄ）スロット間にホッピング（Ｈｏｐｐｉｎｇ）しながらアップリンク送信を実行する時、アップリンクＣＢ（Ｇ）のマッピング方法
【０１４７】
１）方法Ｄ−１：ＮＲでは、遅延に敏感なＵＲＬＬＣデータが、相対的に遅延に敏感でない（ｄｅｌａｙ−ｉｎｓｅｎｓｉｔｉｖｅ）ｅＭＢＢデータの一部をパンクチャリング（ｐｕｎｃｔｕｒｉｎｇ）する動作がサポートされることができる。このような場合、（時間選択的な特性を有する干渉信号の影響により）受信（ｄｅｃｏｄｉｎｇ）失敗確率が特定シンボルでのみ高くなることがあるため、周波数優先（ｆｒｅｑｕｅｎｃｙ−ｆｉｒｓｔ）のデータマッピング方式が考慮されており、このような周波数優先マッピング方式は、ＣＢ（Ｇ）単位の再送信技法と結合される場合に効率的である。
【０１４８】
まず、周波数優先データマッピングとは、時間領域で第１のシンボルに位置する副搬送波（ｓｕｂｃａｒｒｉｅｒ）にデータをマッピングした後、時間領域で第２のシンボルに位置する副搬送波にデータをマッピングする方式を意味する。
【０１４９】
特に、ＤＦＴ−ｓ−ＯＦＤＭベースのアップリンク送信の場合は、周波数ダイバーシティ（ｆｒｅｑｕｅｎｃｙ  ｄｉｖｅｒｓｉｔｙ）利得を得るために、スロット内で（サブスロット）周波数ホッピング（ｆｒｅｑｕｅｎｃｙ  ｈｏｐｐｉｎｇ）動作が適用されることができる。
【０１５０】
それに対し、周波数優先方式にデータをマッピングしながら周波数ホッピング動作をサポートすると、一つのＣＢ（Ｇ）が特定サブスロット内の周波数リソースの一方にのみマッピングされて、該当ＣＢ（Ｇ）は周波数ダイバーシティ利得を得にくい。
【０１５１】
このような問題点を解決するための方法として、下記方法を適用することができる。
【０１５２】
Ｉ．シンボル単位またはシンボルグループ（即ち、複数のシンボル）単位で各サブスロットに交互に周波数優先マッピングする方法。
【０１５３】
図１１は、シンボル単位またはシンボルグループ（即ち、複数のシンボル）単位で各サブスロットに交互に周波数優先マッピングする方法を例示する。サブスロットは、スロットより小さいリソース単位である。
【０１５４】
図１１を参照すると、送信するデータを１シンボル単位で各サブスロット３１、３２に交互に周波数優先マッピングさせる時、図１１に表示されたシンボル１、シンボル２、シンボル３、...、シンボル８の順序に各サブスロットに交互にデータをマッピングさせることができる。
【０１５５】
即ち、ＣＢまたはＣＢＧインデックスを基準にして整列された送信データを複数サブスロット３１、３２内の１番目のシンボル（グループ）にわたって周波数優先マッピングを実行した後、複数サブスロット３１、３２内の２番目のシンボル（グループ）にわたって周波数優先マッピングを実行する方式に全体送信データを順次に複数サブスロット３１、３２内の複数シンボル（グループ）にマッピングすることができる。
【０１５６】
ＩＩ．ＣＢＧを構成するＣＢが複数個である時、各ＣＢを各サブスロットに交互に割り当てて特定ＣＢＧを構成するＣＢを各サブスロット別に分散する形態のマッピング方法。
【０１５７】
図１２は、ＣＢＧを構成するＣＢを各サブスロットに交互に割り当てて特定ＣＢＧを構成するＣＢを各サブスロット別に分散する形態のマッピング方法を例示する。
【０１５８】
図１２を参照すると、一つのＴＢは２個のＣＢＧで構成され、各ＣＢＧは４個のＣＢで構成されたと仮定する時、ＣＢＧ内の４個のＣＢを各サブスロットに交互にマッピングしている。例えば、ＴＢの１番目のＣＢＧは４個のＣＢ３３１、３３２、３３３、３３４を含んでいる。このとき、１番目のＣＢ３３１及び３番目のＣＢ３３３は、１番目のサブスロット３３にマッピングされ、２番目のＣＢ３３２及び４番目のＣＢ３３４は、２番目のサブスロット３４にマッピングされることができる。
【０１５９】
即ち、一般化して説明すると、ＴＢ内ではＣＢＧインデックスを基準にして、各ＣＢＧ内ではＣＢインデックスを基準にして全体データを整列した状態で、ＣＢＧインデックス順序によって順次に各ＣＢＧ別に前記方法Ｉを適用してデータマッピングを実行することができる。
【０１６０】
（Ｅ）ＰＵＳＣＨのリソース割当タイプと波形（Ｗａｖｅｆｏｒｍ）を指示する方法。
【０１６１】
以下、リソース割当（ｒｅｓｏｕｒｃｅ  ａｌｌｏｃａｔｉｏｎ：ＲＡ）タイプ０は、ビットマップを介して連続するＰＲＢ集合であるＲＢＧ（ｒｅｓｏｕｒｃｅ  ｂｌｏｃｋ  ｇｒｏｕｐ）を端末に割り当てる方式である。即ち、ＲＡタイプ０で、リソース割当単位は、一つのリソースブロックでなくＲＢＧとなる。ＲＢＧの大きさ、即ち、ＲＢＧを構成するリソースブロックの個数は、システム帯域に従属的に決定される。リソース割当タイプ０は、ＲＢＧ方式ともいう。
【０１６２】
ＲＡタイプ１は、ビットマップを介してサブセット内のＰＲＢ単位で端末にリソースを割り当てる方式である。サブセットは、複数のＲＢＧで構成される。リソース割当タイプ１は、サブセット方式ともいう。
【０１６３】
ＲＡタイプ２は、連続するＰＲＢを割り当てる方式（ｌｏｃａｌｉｚｅｄ  ｖｉｒｔｕａｌ  ｒｅｓｏｕｒｃｅ  ｂｌｏｃｋ（ＬＶＲＢ）を割当）と、連続しないＰＲＢで構成されるリソースを割り当てる方式（ｄｉｓｔｒｉｂｕｔｅｄ  ｖｉｒｔｕａｌ  ｒｅｓｏｕｒｃｅ  ｂｌｏｃｋ（ＤＶＲＢ）を割当）と、がある。リソース割当タイプ２は、コンパクト（ｃｏｍｐａｃｔ）方式ともいう。
【０１６４】
１）方法Ｅ−１：ＮＲでは、端末が二つの波形、即ち、ＣＰ−ＯＦＤＭ（ｃｙｃｌｉｃ  ｐｒｅｆｉｘ−ｏｒｔｈｏｇｏｎａｌ  ｆｒｅｑｕｅｎｃｙ  ｄｉｖｉｓｉｏｎ  ｍｕｌｔｉｐｌｅｘｉｎｇ、単純にＯＦＤＭともいう）と、ＤＦＴ−ｓ−ＯＦＤＭ（ｄｉｓｃｒｅｔｅ  Ｆｏｕｒｉｅｒ  ｔｒａｎｓｆｏｒｍ−ｓｐｒｅａｄ−ＯＦＤＭ、ＳＣ−ＦＤＭＡ（ｓｉｎｇｌｅ  ｃａｒｒｉｅｒ−ＦＤＭＡ）ともいう）と、を両方ともサポートできる。波形別にリソース割当タイプが異なる場合があり、一般的にＤＦＴ−ｓ−ＯＦＤＭは低いＰＡＰＲ（Ｐｅａｋ−ｔｏ−Ａｖｅｒａｇｅ  Ｐｏｗｅｒ  Ｒａｔｉｏ）を得ることが重要であるため、ＬＴＥアップリンクでは連続されたリソースブロック領域のみを割り当てるＲＡタイプ０が導入され、クラスタは、互いに離れているが、各クラスタ（ｃｌｕｓｔｅｒ）内では連続的なリソースブロック領域を割り当てるＲＡタイプ１が使われた。ＣＰ−ＯＦＤＭは、相対的にＰＡＰＲが重要でないＬＴＥダウンリンクに使われ、ＲＡタイプ０、１、２のように全システム帯域幅をリソースブロックに対する制約無しで自由に割り当てるリソース割当方式を使用した。
【０１６５】
現在、波形を半静的または動的に端末に指示する方法が考慮されており、指示された波形によってＤＣＩ内のＲＡタイプを異なるように解釈できる。例えば、端末に半静的または動的に二つの波形のうち一つであるＤＦＴ−ｓ−ＯＦＤＭを指示する場合、ＤＣＩ内のＲＡタイプｆｉｅｌｄをアップリンクＲＡタイプ０または１と解釈できる。
【０１６６】
または、波形の指示とＲＡタイプ指示をジョイントエンコーディング（ｊｏｉｎｔ  ｅｎｃｏｄｉｎｇ）してＤＣＩペイロードサイズを減らすことができる。例えば、ダウンリンクＲＡタイプ０と１は、ＲＡフィールド内のヘッダにより区分されるため、ＲＡタイプは、ダウンリンクとアップリンクを合わせて４個であり、各ＲＡタイプを４個の状態でマッピングする場合、２ビットのＲＡタイプフィールドを介して波形とＲＡタイプを同時に指示できる。
【０１６７】
２）方法Ｅ−２：既存ＬＴＥシステムにおいて、ＰＵＳＣＨ送信は、アップリンクグラントと呼ばれるアップリンクスケジューリングＤＣＩ（ＤＣＩフォーマット０）を介してリソース割当を受ける。このアップリンクグラント内のＲＡフィールドには、ｉ）ＲＡタイプ０と１を区分するヘッダと、ｉｉ）実際リソース割当のためのビットマップまたはＲＩＶ（Ｒｅｓｏｕｒｃｅ  Ｉｎｄｉｃａｔｉｏｎ  Ｖａｌｕｅ）値と、が含まれている。
【０１６８】
ＮＲでは、二つの波形、即ち、ＤＦＴ−ｓ−ＯＦＤＭとＣＰ−ＯＦＤＭがアップリンク送信で全てサポートされることができるため、ＰＵＳＣＨスケジューリングＤＣＩ内でＲＡタイプだけでなく、どの波形を使用するかに対しても端末に指示できる。本方法ではアップリンクスケジューリングＤＣＩに３ビットを追加することで、基地局が端末にアップリンク波形とＲＡタイプを両方とも指示できる方法を提案する。
【０１６９】
説明前に各方法で使用する用語を下記のように定義する。
【０１７０】
１）ダウンリンクＲＡタイプ０（ＤＬ  ＲＡ  ｔｙｐｅ０）：ＲＢＧビットマップを介してリソースを知らせる、２）ダウンリンクＲＡタイプ１（ＤＬ  ＲＡ  ｔｙｐｅ１）：部分ＲＢＧビットマップまたはＲＢＧサブセットビットマップを介してリソースを知らせる、タイプ０、１はヘッダにより区分される。３）ダウンリンクＲＡタイプ２（ＤＬ  ＲＡ  ｔｙｐｅ２）：連続的なリソースブロック割当、局部的割当と分散割当区分はある、４）アップリンクＲＡタイプ０（ＵＬ  ＲＡ  ｔｙｐｅ０）：連続的なリソースブロック割当、５）アップリンクＲＡタイプ１（ＵＬ  ＲＡ  ｔｙｐｅ１）：２個の非連続的なリソースブロッククラスタ割当、６）ＲＢＧ：リソースブロックグループ（Ｒｅｓｏｕｒｃｅ  Ｂｌｏｃｋ  Ｇｒｏｕｐ）、７）ＬＶＲＢ：局部的仮想リソースブロック（Ｌｏｃａｌｉｚｅｄ  Ｖｉｒｔｕａｌ  Ｒｅｓｏｕｒｃｅ  Ｂｌｏｃｋ）、８）ＤＶＲＢ：分散仮想リソースブロック（Ｄｉｓｔｒｉｂｕｔｅｄ  Ｖｉｒｔｕａｌ  Ｒｅｓｏｕｒｃｅ  Ｂｌｏｃｋ）。
【０１７１】
以下の表は、１ビットフィールド３個を各々ビットインデックス０／１／２に定義した時、各ビットフィールドが指示できる波形またはＲＡタイプを例示する。
【０１７２】
【表１−１】
0006848084.tif 000002
【０１７３】
【表１−２】
0006848084.tif 000003
【０１７４】
図１３は、前記表１の方法１、２、３によるアップリンクスケジューリングＤＣＩの構造を例示する。
【０１７５】
図１３を参照すると、１番目のビットフィールド２２０は、ＣＰ−ＯＦＤＭまたはＤＦＴ−ｓ−ＯＦＤＭを指示することができ、２番目のビットフィールド２２１は、ＲＡタイプを指示する。このとき、１番目のビットフィールドにより決まった波形によってどのＲＡタイプを指示するかが異なるように解釈されることができる。例えば、１番目のビットフィールドがＣＰ−ＯＦＤＭを指示する場合、２番目のビットフィールドは、ＲＡタイプ０／１またはＲＡタイプ２を指示すると解釈される。それに対し、１番目のビットフィールドがＤＦＴ−ｓ−ＯＦＤＭを指示する場合、２番目のビットフィールドは、ＲＡタイプ０または１を指示すると解釈されることができる。
【０１７６】
３番目のビットフィールド２２２は、１番目のビットフィールド２２０及び２番目のビットフィールド２２１で指示した波形とＲＡタイプによって異なるように解釈できる。
【０１７７】
例えば、１番目のビットフィールド２２０により波形としてＣＰ−ＯＦＤＭが指示され、２番目のビットフィールド２２１によりＲＡタイプ０／１が指示される場合、３番目のビットフィールド２２２は、ＲＡタイプ０または１を指示すると解釈される。２番目のビットフィールド２２１がＲＡタイプ２を指示する時は、３番目のビットフィールド２２２がＤＶＲＢまたはＬＶＲＢを指示すると解釈されることができる。
【０１７８】
他の例として、１番目のビットフィールド２２０によりアップリンク波形がＤＦＴ−ｓ−ＯＦＤＭに指示された場合は、２番目のビットフィールド２２１を介してＲＡタイプが０かまたは１かに対してのみ指示すると、３番目のビットフィールド２２２は、ＤＣＩ内の他のフィールドに組み入れられる。例えば、３番目のビットフィールド２２２は、リソース割当（ＲＡ）フィールドに組み入れられてリソース割当に使われることができる。
【０１７９】
具体的な例として、前記３個のビットフィールド２２０、２２１、２２２の値が順序通りに１、０、１と与えられた場合は、アップリンク波形はＣＰ−ＯＦＤＭ、ＲＡタイプはＲＡタイプ０／１、そしてＲＡタイプ１が指示されたと解釈できる。または、前記３個のビットフィールド２２０、２２１、２２２の値が順序通りに１、１、１と与えられた場合は、ＣＰ−ＯＦＤＭ／ＲＡタイプ２／ＤＶＲＢを指示すると解釈できる。他の例として、前記２個のビットフィールド２２０、２２１の値が順序通りに０、１と与えられた場合は、ＤＦＴ−ｓ−ＯＦＤＭ／ＲＡタイプ１が指示されたと解釈できる。
【０１８０】
図１４は、表１の方法４、５による時、アップリンクスケジューリングＤＣＩに追加されたビットフィールドを解釈して波形とＲＡタイプを指示する他の例を示す。
【０１８１】
図１４を参照すると、最初の２ビット２３０の値が‘００’である場合、波形はＣＰ−ＯＦＤＭ、ＲＡタイプはダウンリンクＲＡタイプ０／１であることを指示し、‘０１’である場合、波形はＣＰ−ＯＦＤＭ、ＲＡタイプはダウンリンクＲＡタイプ２であることを指示することができる。‘１０’である場合、波形はＤＦＴ−ｓ−ＯＦＤＭ、ＲＡタイプはアップリンクＲＡタイプ０を指示し、‘１１’である場合、波形はＤＦＴ−ｓ−ＯＦＤＭ、ＲＡタイプはアップリンクＲＡタイプ１であることを指示することができる。即ち、ＤＣＩ内の最初の２ビット２３０を介して４つのＲＡタイプのうち一つを指示することができる。
【０１８２】
そして、３番目のビットフィールド２３１を介してダウンリンクＲＡタイプ０と１のうちいずれのものか、またはダウンリンクＲＡタイプ２でＤＶＲＢかまたはＬＶＲＢかを指示することができる。
【０１８３】
ここでもＵＬ  ＲＡ  ｔｙｐｅが選択された場合、即ち、波形としてＤＦＴ−ｓ−ＯＦＤＭが選択された場合、３番目のビットフィールドは、ＤＣＩ内の他のフィールドに組み入れられて使われることができる。
【０１８４】
（Ｆ）端末の送信バッファフラッシング（Ｔｘ  Ｂｕｆｆｅｒ  ｆｌｕｓｈｉｎｇ）
【０１８５】
１）方法Ｆ−１：ＮＲではアップリンクデータ送信もダウンリンクデータ送信と同様に、ＴＢ単位でないＣＢＧ単位の再送信を実行することができる。ＬＴＥにおいて、ＰＵＳＣＨに対するＨＡＲＱ−ＡＣＫ情報を伝達したＰＨＩＣＨがないため、デコーディングに失敗した一部ＣＢＧに対する再送信は、アップリンクグラントと呼ばれるＰＤＣＣＨのような制御情報チャネルを介して伝達されるＤＣＩを介して指示されることができる。
【０１８６】
したがって、アップリンクグラントにより再送信が指示されないＣＢＧは、端末の送信バッファ（Ｔｘ  ｂｕｆｆｅｒ）でフラッシング（ｆｌｕｓｈｉｎｇ）し、次に送信するデータを格納するときにバッファを使用して端末の送信バッファ効率性を高めることができる。
【０１８７】
例えば、ＰＵＳＣＨに送信されたＴＢが４個のＣＢＧで構成されており、そのうち１番目と３番目のＣＢＧが基地局（ｇＮＢ）側でデコーディングに失敗したと仮定する。このような場合、基地局は、アップリンクグラントを介して該当ＴＢを構成するＣＢＧのうち再送信が必要な１番目と３番目のＣＢＧに対する再送信を端末に指示できる。したがって、デコーディングに成功したと判断される２番目と４番目のＣＢＧは、端末の送信バッファでフラッシングすることができ、該当バッファを次に送信するデータを格納するときに活用できる。
【０１８８】
前述した端末動作は、基地局が初期送信したＴＢを構成する多数のＣＢＧのうち少なくともデコーディングに失敗したＣＢＧに対してはアップリンクグラントを介して常に再送信を指示するという制約がある場合にのみ有効な端末動作である。
【０１８９】
前述した提案方法Ａ−１／２／３／４／５の場合、各々が独立的に適用されることができ、提案方法Ｂ−１／２／３／４／５の場合は、各々が独立に適用され、または複数の方法が結合されて適用されることができる。一例として、提案方法Ｂ−１とＢ−５を結合して適用する方式が可能である。また、提案方法Ａ−１／２／３／４／５のうち特定の一つの方法が、提案方法Ｂ−１／２／３／４／５／６のうち特定の一つまたは複数の方法と結合されて適用されることができる。一例として、提案方法Ａ−１とＢ−１（または、Ｂ−１とＢ−５の組み合わせ）を結合して適用する方式が可能である。
【０１９０】
図１５は、前述した提案方法Ａ−１とＢ−１を結合した場合におけるＣＢＧ単位スケジューリングＤＣＩを例示する。
【０１９１】
図１５を参照すると、ＴＢ単位スケジューリングＤＣＩとＣＢＧ単位スケジューリングＤＣＩは、１ビットフラグ２４１、２４２を介して自分がＴＢ単位スケジューリングのためのＤＣＩか、またはＣＢＧ単位の再送信スケジューリングのためのＤＣＩかを知らせることができる。
【０１９２】
また、ＴＢ単位スケジューリングＤＣＩは、ＭＣＳフィールドが５ビットで構成され、それに対し、ＣＢＧ単位スケジューリングＤＣＩは、ＭＣＳフィールドが２ビットで構成される。即ち、ＴＢ単位スケジューリングＤＣＩに構成されるＭＣＳフィールド（５ビット）よりＣＢＧ単位再送信スケジューリングＤＣＩに構成されるＭＣＳフィールドのサイズが少ないビット数（２ビット）に設定されることができる。それに対し、ＲＡフィールドサイズの場合は、ＴＢ単位スケジューリングＤＣＩとＣＢＧ単位再送信スケジューリングＤＣＩに対して同じビット数に設定されることができる。このとき、ＴＢ単位スケジューリングＤＣＩ内のＭＣＳフィールドサイズ（５ビット）から、ＣＢＧ単位再送信スケジューリングＤＣＩ内のＭＣＳフィールドサイズ（２ビット）を引いて残ったビット（３ビット）は、ＣＢＧ単位スケジューリングＤＣＩ内で再送信されるＣＢＧを指示する用途として使用されることができる。
【０１９３】
図１６は、基地局及び端末を示すブロック図である。
【０１９４】
基地局１０００は、プロセッサ（ｐｒｏｃｅｓｓｏｒ）１１００、メモリ（ｍｅｍｏｒｙ）１２００及びトランシーバ（ｔｒａｎｓｃｅｉｖｅｒ）１３００を含む。プロセッサ１１００は、提案された機能、過程及び／または方法を具現する。メモリ１２００は、プロセッサ１１００と連結され、プロセッサ１１００を駆動するための多様な情報を格納する。トランシーバ１３００は、プロセッサ１１００と連結され、無線信号を送信及び／または受信する。
【０１９５】
端末２０００は、プロセッサ２１００、メモリ２２００及びトランシーバ２３００を含む。プロセッサ２１００は、提案された機能、過程及び／または方法を具現する。メモリ２２００は、プロセッサ２１００と連結され、プロセッサ２１００を駆動するための多様な情報を格納する。トランシーバ２３００は、プロセッサ２１００と連結され、無線信号を送信及び／または受信する。
【０１９６】
図１７は、端末を示すブロック図である。
【０１９７】
図１７を参照すると、端末２０００に含まれているプロセッサ２１００は、ＴＢ単位処理モジュールとＣＢＧ単位処理モジュールを含むことができる。ＴＢ単位処理モジュールは、ＴＢ単位でデータの生成／処理／送信／受信を実行することができ、ＡＣＫ／ＮＡＣＫもＴＢ単位で生成できる。それに対し、ＣＢＧ単位処理モジュールは、ＣＢＧ単位でデータの生成／処理／送信／受信を実行することができ、ＡＣＫ／ＮＡＣＫもＣＢＧ単位で生成できる。
【０１９８】
図１７では端末装置を例示したが、基地局も同様にプロセッサ／トランシーバが構成されることができる。
【０１９９】
プロセッサ１１００、２１００は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２００、２２００は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。トランシーバ１３００、２３００は、無線信号を送信及び／または受信する一つ以上のアンテナを含むことができる。
【０２００】
実施例がソフトウェアで具現される時、前述した技法は、前述した機能を遂行するモジュール（過程、機能など）で具現されることができる。モジュールは、メモリ１２００、２２００に格納され、プロセッサ１１００、２１００により実行されることができる。メモリ１２００、２２００は、プロセッサ１１００、２１００の内部または外部にあり、よく知られた多様な手段でプロセッサ１１００、２１００と連結されることができる。
【図１】
0006848084.tif 000004
【図２】
0006848084.tif 000005
【図３】
0006848084.tif 000006
【図４】
0006848084.tif 000007
【図５】
0006848084.tif 000008
【図６】
0006848084.tif 000009
【図７】
0006848084.tif 000010
【図８】
0006848084.tif 000011
【図９】
0006848084.tif 000012
【図１０】
0006848084.tif 000013
【図１１】
0006848084.tif 000014
【図１２】
0006848084.tif 000015
【図１３】
0006848084.tif 000016
【図１４】
0006848084.tif 000017
【図１５】
0006848084.tif 000018
【図１６】
0006848084.tif 000019
【図１７】
0006848084.tif 000020